(57)【特許請求の範囲】
【請求項１】
建物の外壁入隅部を構成する外壁入隅構造体であって、
前記外壁入隅部の角を構成する面の一方に沿って配置された第１の防水シートと、
前記面の他方に沿って配置された第２の防水シートと、
前記第１の防水シートの外方面に沿って配置された第１の縦胴縁と、
前記第２の防水シートの外方面に沿って配置された第２の縦胴縁と、
１枚の金属板を折り曲げて形成され、前記第１の縦胴縁の外面の少なくとも一部に当接する第１の固定部と、前記第１の固定部の前記角側の端部において外方方向に直交するように接続された第１の当接部と、前記第１の当接部の外方端部において前記角側の方向に直交するように接続された第２の当接部と、前記第２の当接部の前記角側の端部において外方方向に直交するように接続され、前記第２の縦胴縁の外面の少なくとも一部に当接する第２の固定部とからなる入隅ハットと、
前記第１の固定部の外面にその内面の一部が接すると共に、前記第１の当接部の外面に前記角側の端部の一部が接するように配置された第１の外装板と、
前記第２の固定部の外面にその内面の一部が接すると共に、前記第２の当接部の外面の一部に前記角側の端部が接するように配置される第２の外装板と、
前記第１の外装板の前記端部と前記第２の外装板の外面との間の隙間に充填されたシーリング材とを備え、
前記第１の縦胴縁の前記角側の端面の前記入隅ハットに投影された位置は、前記第１の固定部に含まれ、
前記第２の縦胴縁の前記角側の端面の前記入隅ハットに投影された位置は、前記第２の固定部に含まれ、
前記入隅ハットから離れた位置で前記第１の外装板を前記第１の縦胴縁に固定する第１の固定手段と、
前記入隅ハットから離れた位置で前記第２の外装板を前記第２の縦胴縁に固定する第２の固定手段とを更に備えた、外壁入隅構造体。
【発明の詳細な説明】
【技術分野】
【０００１】
この発明は建物の外壁入隅部を構成する外壁入隅構造体に関するものである。
【背景技術】
【０００２】
図８は特許文献１等に示されている従来の建物の外壁入隅部を構成する外壁入隅構造体の外観形状を概略的に示した斜視図であり、図９は図８で示した入隅ハットの外観形状を概略的に示した斜視図であり、図１０は図８で示したＸ−Ｘラインの断面図である。
これらの図を参照して、外壁入隅構造体８１では直交する第１の縦胴縁８３と第２の縦胴縁８６とによって建物の外壁入隅部の角８９が形成され、角８９の内角側には入隅ハット３１が備えられている。入隅ハット３１は図９で示したように１枚の金属板を折り曲げて形成されており、図８で示した第１の縦胴縁８３の外面８４の一部に当接する第１の固定部３３と、第１の固定部３３の角８９（図８参照）側の端部において外方方向に直交するように接続された第１の当接部３７と、第１の当接部３７の外方端部において角８９側方向に直交するように接続された第２の当接部４０と、第２の当接部４０の角８９側の端部において外方方向に直交するように接続され、第２の縦胴縁８６の外面８７（図８参照）の一部に当接する第２の固定部４３とからなる。更に、再度図８を参照して、入隅ハット３１の外面側には、第１の外装板９１と第２の外装板９５とが直交するようにして配置されている。具体的には、第１の外装板９１は、第１の固定部３３の外面３４にその内面９２の一部が接すると共に、第１の当接部３７の外面３８に角８９側の端部９４が接するように配置されている。一方、第２の外装板９５は、第２の固定部４３の外面４４にその内面９６の一部が接すると共に、第２の当接部４０の外面４１の一部に角８９側の端部９７の一部が接するように配置されている。そして第１の外装板９１の外面９３と第２の外装板９５の端部９７との間の隙間には、シーリング材９８が充填されている。
【先行技術文献】
【特許文献】
【０００３】
【特許文献１】特開２００７−８５０６２号公報
【発明の概要】
【発明が解決しようとする課題】
【０００４】
ところで、上述した従来の外壁入隅構造体８１では、第１の縦胴縁８３と、第２の縦胴縁８６と、入隅ハット３１の内面側とによって囲まれる空間Ｓ（図１０参照）に雨水が入り込んでしまうことが多いが、この空間Ｓは狭くて換気効率が悪いため、一旦雨水が入り込んでしまうとその水分は抜けにくく、これにより建物の構造劣化が促進してしまう問題がある。
【０００５】
この発明は上記のような課題を解決するためになされたもので、建物の外壁入隅部の換気効率や耐久性に優れた外壁入隅構造体を提供することを目的とする。
【課題を解決するための手段】
【０００６】
上記の目的を達成するために、請求項１記載の発明は、建物の外壁入隅部を構成する外壁入隅構造体であって、外壁入隅部の角を構成する面の一方に沿って配置された第１の防水シートと、面の他方に沿って配置された第２の防水シートと、第１の防水シートの外方面に沿って配置された第１の縦胴縁と、第２の防水シートの外方面に沿って配置された第２の縦胴縁と、１枚の金属板を折り曲げて形成され、第１の縦胴縁の外面の少なくとも一部に当接する第１の固定部と、第１の固定部の角側の端部において外方方向に直交するように接続された第１の当接部と、第１の当接部の外方端部において角側の方向に直交するように接続された第２の当接部と、第２の当接部の角側の端部において外方方向に直交するように接続され、第２の縦胴縁の外面の少なくとも一部に当接する第２の固定部とからなる入隅ハットと、第１の固定部の外面にその内面の一部が接すると共に、第１の当接部の外面に角側の端部の一部が接するように配置された第１の外装板と、第２の固定部の外面にその内面の一部が接すると共に、第２の当接部の外面の一部に角側の端部が接するように配置される第２の外装板と、第１の外装板の端部と第２の外装板の外面との間の隙間に充填されたシーリング材とを備え、第１の縦胴縁の角側の端面の入隅ハットに投影された位置は、第１の固定部に含まれ、第２の縦胴縁の角側の端面の入隅ハットに投影された位置は、第２の固定部に含まれ、入隅ハットから離れた位置で第１の外装板を第１の縦胴縁に固定する第１の固定手段と、入隅ハットから離れた位置で第２の外装板を第２の縦胴縁に固定する第２の固定手段とを更に備えたものである。
【０００７】
このように構成すると、入隅ハットの内面側と第１の防水シート及び第２の防水シートとで囲まれた空間の容積が拡大する。又、入隅ハットの内面側と第１の防水シート及び第２の防水シートとで囲まれた空間の容積を最大にできる。
【発明の効果】
【００１４】
以上説明したように、請求項１記載の発明は、入隅ハットの内面側と第１の防水シート及び第２の防水シートとで囲まれた空間の容積が拡大するため、外壁入隅部の換気効率が高まり、耐久性が向上する。又、入隅ハットの内面側と第１の防水シート及び第２の防水シートとで囲まれた空間の容積を最大にできるため、換気効率がより高まる。
【図面の簡単な説明】
【００１８】
【図１】この発明の第１の実施の形態による建物の外壁入隅部を構成する外壁入隅構造体の外観形状を概略的に示した斜視図である。
【図２】図１で示したＩＩ−ＩＩラインの断面図である。
【図３】図１で示した外壁入隅構造体の換気効率を従来構造と比較して示した図である。
【図４】この発明の第２の実施の形態による建物の外壁入隅部を構成する外壁入隅構造体の外観形状を概略的に示した斜視図である。
【図５】図４で示したＶ−Ｖラインの断面図である。
【図６】この発明の第３の実施の形態による建物の外壁入隅部を構成する外壁入隅構造体の外観形状を概略的に示した斜視図である。
【図７】図６で示したＶＩＩ−ＶＩＩラインの断面図である。
【図８】特許文献１等に示されている従来の建物の外壁入隅部を構成する外壁入隅構造体の外観形状を概略的に示した斜視図である。
【図９】図８で示した入隅ハットの外観形状を概略的に示した斜視図である。
【図１０】図８で示したＸ−Ｘラインの断面図である。
【発明を実施するための形態】
【００１９】
図１はこの発明の第１の実施の形態による建物の外壁入隅部を構成する外壁入隅構造体の外観形状を概略的に示した斜視図であり、図２は図１で示したＩＩ−ＩＩラインの断面図である。
【００２０】
これらの図を参照して、外壁入隅構造体１１では、建物の外壁入隅部に設けられた構造材１４の角部１５から外方方向に直交するようにして他の構造材１６及び構造材１８が配置されることで、構造材１６の外面１７と、構造材１４の角部１５と、構造材１８の外面１９とからなる角１３が構成されている。そして構造材１６の外面１７に沿って第１の防水シート２０が、構造材１８の外面１９に沿って第２の防水シート２２がそれぞれ配置されている。又、第１の防水シート２０の外方面２１に沿って第１の縦胴縁２５が、第２の防水シート２２の外方面２３に沿って第２の縦胴縁２８がそれぞれ配置されている。更に、第１の縦胴縁２５及び第２の縦胴縁２８の各々の外面２６、２９側には入隅ハット３１が備えられている。尚、入隅ハット３１の構成自体は図９で示した従来のものと同様である。
【００２１】
入隅ハット３１は、第１の固定部３３が第１の縦胴縁２５の外面２６の一部に当接し、第１の当接部３７が第１の固定部３３の角１３側の端部において外方方向に直交するように接続され、第２の当接部４０が第１の当接部３７の外方端部において角１３側の方向に直交するように接続され、第２の固定部４３が第２の当接部４０の角１３側の端部において外方方向に直交するように接続されると共に第２の縦胴縁２８の外面２９の一部に当接している。ここで、第１の縦胴縁２５の角１３側の端面２７が入隅ハット３１の第１の当接部３７に整列し、第２の縦胴縁２８の端面３０が、第２の当接部４０に整列するように配置されている。これにより、第１の縦胴縁２５は、角１３側の端面２７の入隅ハット３１に投影された位置が第１の固定部３３に含まれ、第２の縦胴縁２８は、角１３側の端面３０の入隅ハット３１に投影された位置が第２の固定部４３に含まれるように設定されている。
【００２２】
更に、第１の外装板４７が、その内面４８の一部が第１の固定部３３の外面３４に接すると共に、第１の当接部３７の内面３８にその角１３側の端部４９の一部が接するようにして配置されている。一方で、第２の外装板５１が、その内面５２の一部が第２の固定部４３の外面４４に接すると共に、第２の当接部４０の外面４１の一部にその角１３側の端部５３が接するようにして配置されている。更に、第１の外装板４７の端部４９と第２の外装板５１の外面５４との間の隙間にはシーリング材５５が充填されている。そして入隅ハット３１から離れた位置で、第１の外装板４７は第１の固定ねじ５７によって第１の縦胴縁２５に、第２の外装板５１は第２の固定ねじ５８によって第２の縦胴縁２８に各々固定されている。このようにして配置されることで、外壁入隅構造体１１には、図２で示したように、入隅ハット３１の内面側と、第１の防水シート２０と、第２の防水シート２２と、第１の縦胴縁２５の端面２７と、第２の縦胴縁２８の端面３０とによって囲まれた空間Ｓ１が形成されている。
【００２３】
図３は図１で示した外壁入隅構造体の換気効率を従来構造と比較して示した図である。
【００２４】
はじめに図３の（１）は従来の外壁入隅構造体の断面図であり、図３の（２）は第１の実施の形態に係る外壁入隅構造体１１の断面図であって図２に対応するものである。尚、図３の（１）と（２）との比較を容易にするために、各々の外壁入隅構造体において、形成された空間における縦胴縁の高さ方向の距離はいずれもｚとする。
【００２５】
まず図３の（１）を参照して、従来の外壁入隅構造体８１では、入隅ハット３１の内面側と、第１の縦胴縁８３の外面８４と、第２の縦胴縁８６の外面８７とで囲まれた空間Ｓが形成されている。
【００２６】
ここで、第２の縦胴縁８６の外面８７から入隅ハット３１の第１の当接部３７までの距離をｘ、第１の縦胴縁８３の外面８４から入隅ハット３１の第２の当接部４０までの距離をｙとすると、空間Ｓの容積Ｖは、Ｖ＝ｘ×ｙ×ｚとなる。
【００２７】
次に図３の（２）を参照して、外壁入隅構造体１１では、図２で説明したように、入隅ハット３１の内面側と、第１の防水シート２０と、第２の防水シート２２と、第１の縦胴縁２５の端面２７と、第２の縦同縁２８の端面３０とによって囲まれた空間Ｓ１が形成されている。
【００２８】
ここで、第１の縦胴縁２５及び第２の縦胴縁２８の各々の厚さをｌ１とすると、第１の縦胴縁２５の端面２７が入隅ハット３１の第１の当接部３７に、第２の縦胴縁２８の端面３０が入隅ハット３１の第２の当接部４０に各々整列することで、空間Ｓ１は、図３の（１）で示した距離ｘ及び距離ｙの各々に対して、第１の縦胴縁２５及び第２の縦胴縁２８の厚さｌ１の分が増大している。従って、空間Ｓ１の容積Ｖ１は、従来構造における空間Ｓの容積Ｖ（Ｖ＝ｘ×ｙ×ｚ）に加えて、Ｖα（Ｖα＝ｌ１×ｌ１×ｚ）、Ｖβ（Ｖβ＝ｌ１×ｘ×ｚ）、及びＶγ（Ｖγ＝ｙ×ｌ１×ｚ）の分、拡大している。即ち、空間Ｓ１における容積Ｖ１は、Ｖ１＝Ｖ＋Ｖα＋Ｖβ＋Ｖγとなり、その容積は従来構造よりも拡大している。
【００２９】
このように、外壁入隅構造体１１では、空間Ｓ１の容積Ｖ１が従来構造よりも拡大するため、従来構造よりも外壁入隅部の換気効率が高まり、耐久性が向上する。尚、外壁入隅構造体１１の配置によれば、第１の外装板４７、第２の外装板５１及び入隅ハット３１の第１の縦胴縁２５及び第２の縦胴縁２８に対する取付けに制約を与えないため、使用勝手が向上する。
【００３０】
図４はこの発明の第２の実施の形態による建物の外壁入隅部を構成する外壁入隅構造体の外観形状を概略的に示した斜視図であり、図５は図４で示したＶ−Ｖラインの断面図である。尚、本実施の形態に係る外壁入隅構造体は、基本的には第１の実施の形態で示したものと同様であるので、ここではその相違点について説明する。
【００３１】
これらの図を参照して、外壁入隅構造体６１では、入隅ハット３１に対する第１の縦胴縁２５及び第２の縦胴縁２８の各々の配置位置が第１の実施の形態におけるそれと異なっている。即ち、第１の縦胴縁２５は、その端面２７が入隅ハット３１の第１の当接部３７から垂直外方方向に距離ｌ２だけ離れ、一方で、第２の縦胴縁２８は、その端面３０が入隅ハット３１の第２の当接部４０から垂直外方方向に距離ｌ２だけ離れて設置されている。尚、第１の縦胴縁２５は、角１３側の端面２７の入隅ハット３１に投影された位置が第１の固定部３３に含まれ、第２の縦胴縁２８は、角１３側の端面３０の入隅ハット３１に投影された位置が第２の固定部４３に含まれるように設定されている。
【００３２】
そして入隅ハット３１から離れた位置で、第１の外装板４７は第１の固定ねじ６３によって第１の縦胴縁２５に、第２の外装板５１は第２の固定ねじ６４によって第２の縦胴縁２８に、各々固定されている。これにより、外壁入隅構造体６１にあっては、図５で示したように、入隅ハット３１の内面側と、第１の防水シート２０と、第２の防水シート２２と、第１の縦胴縁２５の端面２７と、第２の縦胴縁２８の端面３０とによって囲まれた空間Ｓ２が形成されている。
【００３３】
ここで、第１の実施の形態と同様に、第１の縦胴縁２５、第２の縦胴縁２８の各々の厚さをｌ１とすると、外壁入隅構造体６１では、第１の縦胴縁２５及び第２の縦胴縁２８の各々の端面２７、３０がそれぞれ入隅ハット３１の第１の当接部３７、第２の当接部４０から距離ｌ２だけ離れることにより、第１の縦胴縁２５及び第２の縦胴縁２８の各々の側において、第１の実施の形態に係る外壁入隅構造体１１の容積Ｖ１よりも、容積Ｖ２（Ｖ２＝ｌ１×ｌ２×ｚ）の分だけ拡大する。即ち、空間Ｓ２の容積ＶＳ２は、ＶＳ２＝Ｖ１＋Ｖ２＋Ｖ２となる。よって外壁入隅構造体６１によれば、空間Ｓ２の容積をＶＳ２として最大にできるため、第１の実施の形態と比べて換気効率がより高まる。
【００３４】
図６はこの発明の第３の実施の形態による建物の外壁入隅部を構成する外壁入隅構造体の外観形状を概略的に示した斜視図であり、図７は図６で示したＶＩＩ−ＶＩＩラインの断面図である。尚、本実施の形態に係る外壁入隅構造体は、基本的には第１及び第２の実施の形態で示したものと同様であるので、ここではその相違点について説明する。
【００３５】
これらの図を参照して、外壁入隅構造体７１では、入隅ハット３１に対する第１の縦胴縁２５及び第２の縦胴縁２８の各々の配置位置が第１及び第２の実施の形態におけるそれらと異なっている。即ち、第１の縦胴縁２５は、その端面２７が入隅ハット３１の第１の当接部３７から垂直外方方向に距離ｌ３だけ離れ、一方で、第２の縦胴縁２８は、その端面３０が入隅ハット３１の第２の当接部４０から垂直外方方向に距離ｌ３だけ離れて設置されている。尚、第１の縦胴縁２５は、角１３側の端面２７の入隅ハット３１に投影された位置が第１の固定部３３に含まれ、第２の縦胴縁２８は、角１３側の端面３０の入隅ハット３１に投影された位置が第２の固定部４３に含まれるように設定されている。
【００３６】
更に、入隅ハット３１の第１の固定部３３は第１の固定ねじ７３によって第１の縦胴縁２５に、第２の固定部４３は第２の固定ねじ７４によって第２の縦胴縁２８に、各々固定されている。これにより入隅ハット３１の取付位置が安定するため、第１の外装板４７及び第２の外装板５１の取付作業が容易となる。そして外壁入隅構造体７１にあっては、入隅ハット３１の内面側と、第１の防水シート２０と、第２の防水シート２２と、第１の縦胴縁２５の端面２７と、第２の縦胴縁２８の端面３０とによって囲まれた空間Ｓ３が形成されている。
【００３７】
ここで、第１の縦胴縁２５、第２の縦胴縁２８の各々の厚さをｌ１とすると、外壁入隅構造体７１では、第１の縦胴縁２５及び第２の縦胴縁２８の各々の端面２７、３０が、それぞれ入隅ハット３１の第１の当接部３７、第２の当接部４０から距離ｌ３だけ離れることにより、第１の縦胴縁２５及び第２の縦胴縁２８の各々の側において、第１の実施の形態に係る外壁入隅構造体１１の容積Ｖ１よりも、容積Ｖ３（Ｖ３＝ｌ１×ｌ３×ｚ）の分だけ拡大する。即ち、空間Ｓ３の容積ＶＳ３は、ＶＳ３＝Ｖ１＋Ｖ３＋Ｖ３となる。よって外壁入隅構造体７１によれば、空間Ｓ３の容積を拡大すると共に、上述したように第１の外装板４７及び第２の外装板５１の取付作業が容易となる。
【００３８】
尚、図６や図７において第１の縦胴縁２５及び第２の縦胴縁２８をそれぞれ二点鎖線で示す位置よりも外方方向に配置すれば、即ち、図７において、第１の縦胴縁２５の端面２７から第１の当接部３７までの距離及び第２の縦胴縁２８の端面３０から第２の当接部４０までの距離をそれぞれｌ３よりも小さくなるように配置すれば、空間内の容積はＶ１よりも大きくなり、従来構造と比べて拡大する。
【００３９】
尚、上記の各実施の形態では、入隅ハットは特定形状を有しているが、入隅ハットは、少なくとも第１の縦胴縁の外面の少なくとも一部に当接する第１の固定部と、第１の固定部の入隅構造体の角側の端部において外方方向に直交するように接続された第１の当接部と、第１の当接部の外方端部において角側の方向に直交するように接続された第２の当接部と、第２の当接部の角側の端部において外方方向に直交するように接続され、第２の縦胴縁の外面の少なくとも一部に当接する第２の固定部とからなるものであれば、どのような形状でも良い。
【００４０】
又、上記の各実施の形態では、第１の外装板及び第２の外装板、並びに入隅ハットの各々を固定する固定手段として固定ねじを使用しているが、接着剤等の他の固定手段を使用しても良い。
【００４１】
更に、上記の第２及び第３の実施の形態では、第１の縦胴縁及び第２の縦胴縁はそれぞれ入隅ハットに対して所定の距離だけ離れた構成としているが、少なくとも第１の縦胴縁の入隅構造体の角側の端面の入隅ハットに投影された位置が第１の固定部に含まれ、第２の縦胴縁の入隅構造体の角側の端面の入隅ハットに投影された位置が第２の固定部に含まれるのであれば、他の距離に設定しても良い。
【００４２】
更に、上記の第２の実施の形態では、入隅ハットの第１の当接部から第１の縦胴縁の端面までの距離と、第２の当接部から第２の縦胴縁の端面までの距離はいずれもｌ２で等しいが、これらは互いに異なっていても良い。
【００４３】
更に、上記の第３の実施の形態では、入隅ハットの第１の当接部から第１の縦胴縁の端面までの距離と、第２の当接部から第２の縦胴縁の端面までの距離はいずれもｌ３で等しいが、これらは互いに異なっていても良い。
【００４４】
更に、上記の各実施の形態では、縦胴縁同士を接しないように配置すれば、少なくとも従来より換気容積が拡大する。
【００４５】
更に、上記の各実施の形態では、縦胴縁の端面は外面に対して直交面であることを前提としているが、直交しない傾斜面の場合には、外面側の辺の投影位置が固定部に含まれれば良い。
【符号の説明】
【００４６】
１１…外壁入隅構造体
１３…角
２０…第１の防水シート
２２…第２の防水シート
２５…第１の縦胴縁
２８…第２の縦胴縁
３１…入隅ハット
３３…第１の固定部
３７…第１の当接部
４０…第２の当接部
４３…第２の固定部
４７…第１の外装板
５１…第２の外装板
５５…シーリング材
５７，６３，７３…第１の固定ねじ
５８，６４，７４…第２の固定ねじ
尚、各図中同一符号は同一又は相当部分を示す。
【要約】
【課題】  建物の外壁入隅部における換気効率や耐久性に優れた外壁入隅構造体を提供する。
【解決手段】  外壁入隅構造体１１は、互いに直交するようにして配置された第１の防水シート２０及び第２の防水シート２２と、第１の防水シート２０の外方面２１に沿って配置された第１の縦胴縁２５と、第２の防水シート２２の外方面２３に沿って配置された第２の縦胴縁２８とを備える。更に、第１の縦胴縁２５及び第２の縦胴縁２８の各々の外面２６、２９側には入隅ハット３１が設けられ、入隅ハット３１の外面側には第１の外装板４７及び第２の外装板５１が配置されている。このとき第１の縦胴縁２５の角１３側の端面２７の入隅ハット３１に投影された位置は、入隅ハット３１の第１の固定部３３に含まれ、第２の縦胴縁２８の角１３側の入隅ハット３１に投影された位置は、入隅ハット３１の第２の固定部４３に含まれるように設定されている。
【選択図】      図１【図１】
0005535382.tif 000002
【図２】
0005535382.tif 000003
【図３】
0005535382.tif 000004
【図４】
0005535382.tif 000005
【図５】
0005535382.tif 000006
【図６】
0005535382.tif 000007
【図７】
0005535382.tif 000008
【図８】
0005535382.tif 000009
【図９】
0005535382.tif 000010
【図１０】
0005535382.tif 000011